(57)【要約】【課題】台座への圧入を必要とすることなく基板端子を台座に固定することが出来る、新規な構造の台座コネクタを提供すること。【解決手段】基板端子１６の長さ方向中間部分に屈曲部６６を形成する一方、台座１４をプリント基板１２上に載置される本体部材１８と該本体部材１８に重ね合わされるカバー部材２０とからなる分割構造体として、それら本体部材１８とカバー部材２０の重ね合わせ面２４，５６間で前記屈曲部６６を挟んで前記基板端子１６を前記台座１４に貫通状態で位置決め固定するようにした。【選択図】図２
2011124193.tif 000002
【特許請求の範囲】
【請求項１】
合成樹脂製の台座に複数の基板端子が貫通状態で固定された台座コネクタにおいて、
前記基板端子の長さ方向中間部分に屈曲部が形成されている一方、プリント基板上に載置される本体部材と該本体部材に重ね合わされるカバー部材とからなる分割構造体によって前記台座が形成されており、それら本体部材とカバー部材の重ね合わせ面間に前記基板端子の前記屈曲部が挟まれて位置決め固定されていることを特徴とする台座コネクタ。
【請求項２】
前記基板端子が、両端部の延出方向の何れに対しても前記屈曲部が直交して延びるクランク形状とされており、前記屈曲部が、前記両端部の延出方向の両側から前記本体部材と前記カバー部材に挟まれている請求項１に記載の台座コネクタ。
【請求項３】
前記台座から前記基板端子の複数本が互いに平行に突出して２列に配列されていると共に、各列の前記基板端子における前記屈曲部が互いに他方の列と反対側に向かって突出されている請求項２に記載の台座コネクタ。
【請求項４】
前記本体部材における前記基板端子の突出側の面を覆う状態で前記カバー部材が該本体部材に重ね合わされており、該カバー部材に形成された挿通孔を通じて該基板端子が該本体部材から突出されている請求項１〜３の何れか１項に記載の台座コネクタ。
【請求項５】
前記本体部材と前記カバー部材の重ね合わせ面の少なくとも一方に嵌合溝が形成されており、該嵌合溝に対して前記基板端子の前記屈曲部が嵌め込まれている請求項１〜４の何れか１項に記載の台座コネクタ。
【請求項６】
前記嵌合溝が前記本体部材における前記カバー部材との重ね合わせ面の外周部分に形成されており、該本体部材の重ね合わせ面の中央部分において突出形成された中央突部の突出端面上に前記嵌合溝の一方の端部が開口されている一方、前記カバー部材には前記中央突部に対応する開口形状を有する貫通孔が形成されており、前記本体部材と前記カバー部材との重ね合わせ状態において、前記中央突部が前記貫通孔内に挿通されて前記突出端面が前記貫通孔を通じて前記プリント基板と反対側に露出されていると共に、前記カバー部材における前記貫通孔の周辺部が、前記嵌合溝が形成された前記本体部材の前記重ね合わせ面の外周部分に重ね合わされるようになっている請求項５に記載の台座コネクタ。
【請求項７】
前記カバー部材における前記本体部材への重ね合わせ面上に前記嵌合溝が形成されていると共に、前記カバー部材には、前記基板端子における前記プリント基板と反対側の端部を遊挿状態で挿通する端子挿通孔が貫設されており、前記嵌合溝の一方の端部が前記端子挿通孔に接続されて該端子挿通孔を通じて前記カバー部材における前記プリント基板と反対側の面に開口されている一方、前記本体部材における前記カバー部材への重ね合わせ面が単一の平坦面とされている請求項５に記載の台座コネクタ。
【請求項８】
前記基板端子が、金属線材を所定長さで切断して形成された線材端子によって構成されている請求項１〜７の何れか１項に記載の台座コネクタ。
【発明の詳細な説明】
【技術分野】
【０００１】
本発明は、プリント基板の導電路に接続される複数の基板端子が台座に貫通固定された台座コネクタに関する。
【背景技術】
【０００２】
従来から、自動車の電気接続箱等に用いられるプリント基板には、外部の電気部品との接続を可能とするために、複数の基板端子が台座に貫通固定された台座コネクタが用いられている。例えば、特開２００８−３５６６９号公報（特許文献１）の図３に示されているものが、それである。
【０００３】
ところで、このような台座コネクタは、プリント基板の導電路に接続される基板端子が、台座に貫設された挿入孔に圧入されることにより、台座へ固定されている。また、近年では、電気部品や電気回路の更なる小型化・高密度化等に伴い、より断面積の小さな基板端子を狭ピッチで整列配置した台座コネクタの採用が増加傾向にある。
【０００４】
ところが、基板端子を台座に圧入する作業は、冶具を用いて押圧する必要があって非常に煩雑であり、作業効率の改善等が求められていた。特に、小さな断面積の基板端子の場合には、狭ピッチ化により作業がより細かく煩雑になることに加えて、圧入に際して座屈変形が生じ易いことから、圧入作業が一層困難であった。
【先行技術文献】
【特許文献】
【０００５】
【特許文献１】特開２００８−３５６６９号公報
【発明の概要】
【発明が解決しようとする課題】
【０００６】
本発明は、上述の事情を背景に為されたものであって、その解決課題は、台座への圧入を必要とすることなく基板端子を台座に固定することが出来る、新規な構造の台座コネクタを提供することにある。
【課題を解決するための手段】
【０００７】
本発明の第一の態様は、合成樹脂製の台座に複数の基板端子が貫通状態で固定された台座コネクタにおいて、前記基板端子の長さ方向中間部分に屈曲部が形成されている一方、プリント基板上に載置される本体部材と該本体部材に重ね合わされるカバー部材とからなる分割構造体によって前記台座が形成されており、それら本体部材とカバー部材の重ね合わせ面間に前記基板端子の前記屈曲部が挟まれて位置決め固定されていることを、特徴とする。
【０００８】
本発明に従う構造とされた台座コネクタによれば、基板端子の屈曲部を本体部材とカバー部材で挟んで保持することによって、圧入を必要とすることなく、基板端子を台座に固定することが出来る。これにより、基板端子を台座に圧入する場合に生じ得る、座屈変形等のおそれを回避することが出来る。
【０００９】
本発明の第二の態様は、前記第一の態様に記載のものにおいて、前記基板端子が、両端部の延出方向の何れに対しても前記屈曲部が直交して延びるクランク形状とされており、前記屈曲部が、前記両端部の延出方向の両側から前記本体部材と前記カバー部材に挟まれているものである。
【００１０】
本態様によれば、基板端子がクランク形状とされることにより、台座の熱膨張による応力をクランク状部分で緩和することが出来る。これにより、半田クラックの発生を抑えることが出来る。
【００１１】
さらに、屈曲部が本体部材とカバー部材によって、端部の延出方向の両側から挟まれていることから、相手方コネクタの接続に際して基板端子に及ぼされる押し込み方向の力を本体部材で受け止めることが出来ると共に、相手方コネクタの離脱に際して基板端子に及ぼされる引き抜き方向の力をカバー部材で受け止めることが出来る。これにより、相手方コネクタの挿抜に際して半田付け部に及ぼされる応力を軽減することが出来て、半田クラックの発生をより効果的に抑えることが出来る。
【００１２】
本発明の第三の態様は、前記第二の態様に記載のものにおいて、前記台座から前記基板端子の複数本が互いに平行に突出して２列に配列されていると共に、各列の前記基板端子における前記屈曲部が互いに他方の列と反対側に向かって突出されているものである。
【００１３】
このようにすれば、基板端子において屈曲部からプリント基板に向けて延びる端部が、台座から外方に離隔されて、台座から離隔した位置でプリント基板に半田付けされる。これにより、台座で半田付け部の視認性が阻害されるおそれを軽減することが出来て、半田付け部の視認性を向上することが出来る。
【００１４】
さらに、各列の基板端子の屈曲部が互いに反対側に突出されることによって、屈曲部から延びるプリント基板側の端部を、互いに台座から離隔して位置させることが出来る。これにより、台座におけるプリント基板への脚部の形成スペースをより大きく確保することが出来て、脚部をより大きく形成することが出来る。その結果、相手方コネクタの接続に対する台座の支持強度を向上することが出来る。
【００１５】
本発明の第四の態様は、前記第一〜第三の何れか一つの態様に記載のものにおいて、前記本体部材における前記基板端子の突出側の面を覆う状態で前記カバー部材が該本体部材に重ね合わされており、該カバー部材に形成された挿通孔を通じて該基板端子が該本体部材から突出されているものである。
【００１６】
本態様によれば、基板端子を挿通孔に挿通することによって、より安定的に保持することが出来る。特に、カバー部材の本体部材への重ね合わせ方向が相手方コネクタの挿抜方向と同じ方向である場合には、相手方コネクタの引き抜き時に基板端子に及ぼされる外力に対して、基板端子をカバー部材でより確実に保持することが出来る。そして、複数の基板端子の台座への位置決め精度が向上されることから、端子間ピッチや端子間絶縁性をより安定的に確保することが出来る。
【００１７】
本発明の第五の態様は、前記第一〜第四の何れか一つの態様に記載のものにおいて、前記本体部材と前記カバー部材の重ね合わせ面の少なくとも一方に嵌合溝が形成されており、該嵌合溝に対して前記基板端子の前記屈曲部が嵌め込まれているものである。
【００１８】
本態様によれば、基板端子を嵌合溝に嵌め入れることによって、台座に対してより精度良く位置決めすることが出来る。これにより、端子間ピッチや端子絶縁性をより安定的に確保することが出来る。また、基板端子の台座への組み付け作業を容易にすることが出来る。
【００１９】
本発明の第六の態様は、前記第五の態様に記載のものにおいて、前記嵌合溝が前記本体部材における前記カバー部材との重ね合わせ面の外周部分に形成されており、該本体部材の重ね合わせ面の中央部分において突出形成された中央突部の突出端面上に前記嵌合溝の一方の端部が開口されている一方、前記カバー部材には前記中央突部に対応する開口形状を有する貫通孔が形成されており、前記本体部材と前記カバー部材との重ね合わせ状態において、前記中央突部が前記貫通孔内に挿通されて前記突出端面が前記貫通孔を通じて前記プリント基板と反対側に露出されていると共に、前記カバー部材における前記貫通孔の周辺部が、前記嵌合溝が形成された前記本体部材の前記重ね合わせ面の外周部分に重ね合わされるようになっているものである。
【００２０】
本態様によれば、本体部材の中央突部にカバー部材を外嵌することによって、本体部材とカバー部材の位置合わせを容易に行なうことが出来る。また、本体部材における中央突部の突出端面がカバー部材を通じて露出されていることから、相手方コネクタの接続に際する押圧力を、プリント基板に載置される本体部材で直接に受けることが出来て、より安定的な支持力を得ることが出来る。
【００２１】
また、本態様によれば、基板端子を嵌め入れる嵌合溝を本体部材のみに形成することが出来る。これにより、嵌合溝を本体部材とカバー部材のそれぞれに部分的に形成して組み合わせて構成する場合のように、本体部材とカバー部材との寸法誤差等により嵌合溝の寸法精度が損なわれるおそれを軽減することが出来て、嵌合溝を寸法精度良く形成することが出来る。その結果、基板端子の位置決め精度を向上することが出来る。
【００２２】
本発明の第七の態様は、前記第五の態様に記載のものにおいて、前記カバー部材における前記本体部材への重ね合わせ面上に前記嵌合溝が形成されていると共に、前記カバー部材には、前記基板端子における前記プリント基板と反対側の端部を遊挿状態で挿通する端子挿通孔が貫設されており、前記嵌合溝の一方の端部が前記端子挿通孔に接続されて該端子挿通孔を通じて前記カバー部材における前記プリント基板と反対側の面に開口されている一方、前記本体部材における前記カバー部材への重ね合わせ面が単一の平坦面とされているものである。
【００２３】
本態様によれば、基板端子を端子挿通孔に挿通することによって、台座に対してより精度良く位置決めすることが出来る。また、嵌合溝と端子挿通孔が何れもカバー部材に形成されることから、嵌合溝と端子挿通孔の位置ずれを回避することが出来て、基板端子の台座への位置決めをより精度良く行なうことが出来る。更に、本体部材のカバー部材への重ね合わせ面が単一の平坦面とされることから、本体部材の形状をより簡易なものにして、容易に形成することが出来る。
【００２４】
本発明の第八の態様は、前記第一〜第七の何れか一つの態様に記載のものにおいて、前記基板端子が、金属線材を所定長さで切断して形成された線材端子によって構成されているものである。
【００２５】
すなわち、線材端子は断面積が小さく脆弱であることから、台座に圧入して固定する際に座屈変形が生じるおそれがある。しかし、本発明によれば、基板端子を圧入することなく台座に固定出来ることから、圧入に際する座屈変形のおそれを回避することが可能となり、断面積の小さな基板端子を備えた台座コネクタを、品質良く実現することが出来る。
【発明の効果】
【００２６】
本発明によれば、台座を本体部材とカバー部材の分割構造体として、基板端子をこれら本体部材とカバー部材で挟んで固定するようにした。これにより、基板端子を圧入することなく台座に固定することが可能となり、圧入に際して生じ得る座屈変形等のおそれを回避することが出来る。その結果、断面積の小さな基板端子を備えた台座コネクタであっても、品質良く実現することが出来る。
【図面の簡単な説明】
【００２７】
【図１】本発明の第一の実施形態としての台座コネクタを備えたプリント基板の斜視図。
【図２】図１に示した台座コネクタの分解斜視図。
【図３】図１に示した台座コネクタを構成する本体部材の斜視図。
【図４】図１に示した台座コネクタを構成する基板端子の側面図。
【図５】本発明の第二の実施形態としての台座コネクタを備えたプリント基板の斜視図。
【図６】図５に示した台座コネクタの分解斜視図。
【図７】図５に示した台座コネクタを構成する本体部材の側面図。
【図８】図５に示した台座コネクタを構成するカバー部材の斜視図。
【図９】図８に示したカバー部材の底面図。
【図１０】本発明の異なる態様としての台座コネクタを備えたプリント基板の斜視図。
【発明を実施するための形態】
【００２８】
以下、本発明の実施形態について、図面を参照しつつ説明する。
【００２９】
先ず、図１に、本発明の第一の実施形態としての台座コネクタ１０が設けられたプリント基板１２を示す。台座コネクタ１０は、合成樹脂製の台座１４に、複数の基板端子１６が貫通状態で並んで固定された構造とされている。
【００３０】
図２に示すように、本実施形態における台座コネクタ１０の台座１４は、本体部材１８とカバー部材２０とからなる分割構造体とされている。図３に、本体部材１８を示す。本体部材１８は、非導電性の合成樹脂からなる一体成形品とされており、長手方向の両端縁部に、プリント基板１２に向けて突出する一対の脚部２２，２２がそれぞれ形成された門形状とされている。なお、各脚部２２の突出先端部分は、本体部材１８の長手方向に直交する幅方向寸法が僅かに小さくされていると共に、脚部２２において本体部材１８の内側の面には、脚部２２の突出先端縁部に亘る三角板形状の補強リブ２３がそれぞれ形成されている。
【００３１】
本体部材１８の上面には、略長手矩形状を有する重ね合わせ面２４が形成されている。更に、重ね合わせ面２４の中央部分には、重ね合わせ面２４よりも一回り小さな略長手矩形状断面をもって、脚部２２，２２の突出方向と反対側に突出する中央突部２６が形成されている。
【００３２】
重ね合わせ面２４の外周部分には、複数の嵌合溝２８が形成されている。嵌合溝２８は、重ね合わせ面２４上に開口して、重ね合わせ面２４において長手方向に直交する幅方向に延びると共に、重ね合わせ面２４の内方への延出端部から、中央突部２６の側面３０上に開口して中央突部２６の突出方向に延びるＬ字形状とされている。これにより、嵌合溝２８の一方の端部３２は、本体部材１８の側面３４上に開口されている一方、他方の端部３６が、中央突部２６の突出端面３８上に開口されている。嵌合溝２８の断面形状は、略全長に亘って、後述する基板端子１６の略正方形断面形状よりも僅かに大きな略正方形断面形状とされている。なお、嵌合溝２８の溝底面４０は、端部３２，３６において角が落とされた湾曲面とされており、角部の食い込みによる基板端子１６の損傷のおそれが軽減されている。そして、このような嵌合溝２８の複数が、重ね合わせ面２４の長手方向で所定間隔を隔てて、重ね合わせ面２４の幅方向の両側にそれぞれ配列形成されている。
【００３３】
また、本体部材１８における長手方向両端側の側面４２，４２には、それぞれ、係合突部４４，４４が形成されている。係合突部４４は、側面４２から本体部材１８の長手方向外方に突出するブロック形状とされている。係合突部４４において本体部材１８の重ね合わせ面２４側には、重ね合わせ面２４の長手方向端縁部から、脚部２２の突出方向に行くに連れて次第に外方に突出する傾斜案内面４６が形成されている一方、傾斜案内面４６と反対側には、側面４２に対して垂直に広がる係合面４８が形成されている。
【００３４】
一方、カバー部材２０は、非導電性の合成樹脂から形成された一体成形品とされており、図２に示したように、本体部材１８に重ね合わされる天板部５０の長手方向両端縁部から一対の係合部５２，５２が突出形成された門形状とされている。天板部５０は、本体部材１８の重ね合わせ面２４と略等しい長手方向寸法と幅寸法を有する板形状とされている。なお、天板部５０の厚さ寸法は、本体部材１８における中央突部２６の、重ね合わせ面２４からの突出寸法と略等しくされている。
【００３５】
さらに、天板部５０の中央部分には貫通孔５４が形成されている。貫通孔５４は、本体部材１８における中央突部２６の突出端面３８と略等しい略長手矩形状断面をもって、天板部５０の厚さ方向に貫設されている。これにより、カバー部材２０における本体部材１８への重ね合わせ面５６は、天板部５０における貫通孔５４の周囲に形成されている。また、貫通孔５４の内周面には、本体部材１８において中央突部２６の側面３０に開口された複数の嵌合溝２８とそれぞれ対応する位置に、該嵌合溝２８に入り込む大きさの突条５７が突出形成されている。
【００３６】
そして、天板部５０の長手方向両端縁部には、係合部５２，５２がそれぞれ形成されている。係合部５２は天板部５０に向けて開口するコの字形状とされている。これにより、図面からは必ずしも明らかではないが、カバー部材２０の長手方向両端部には、天板部５０と係合部５２で囲まれた貫通孔形状の窓部５８が形成されている。そして、係合部５２の内周面で、天板部５０と対向される面が、係合面６０とされている。また、図８に示す、後述する第二の実施形態のカバー部材８６に形成されて本実施形態と同様の形状とされた係合部５２から明らかなように、係合面６０と反対側の面には、係合部５２の天板部５０からの突出方向に行くに連れて次第に外方に拡開する傾斜案内面６１が形成されている。
【００３７】
一方、図４に、基板端子１６を示す。基板端子１６は、銅や鉄等の導電性金属材料からなる母材の全表面に亘って、錫や金等の導電性金属材料からなるめっき層が被着された金属線材が、所定長さで切断されて形成された線状端子とされている。基板端子１６の断面形状は、正方形や長方形等の矩形状や多角形状、楕円を含む円形状や、その他任意の形状が適宜に採用可能である。本実施形態における基板端子１６は、先細テーパ形状とされた両端縁部を除く略全長に亘って、略０．５ｍｍ×略０．４ｍｍの略正方形断面とされている。
【００３８】
基板端子１６の長さ方向一方の端部には、直線状に延びる接続側端部６２が形成されている。また、接続側端部６２と反対側の端部には、接続側端部６２に対して平行に延びる基板側端部６４が形成されている。そして、基板端子１６において接続側端部６２と基板側端部６４の間に位置する長さ方向の中間部分には、これら接続側端部６２および基板側端部６４に対して直交して延びる屈曲部６６が形成されている。屈曲部６６は、基板端子１６を構成する切断線材がプレス加工等で屈曲されることにより形成される。これにより、基板端子１６は、クランク形状とされている。なお、屈曲部６６の長さ寸法は、本体部材１８における嵌合溝２８の、重ね合わせ面２４上の長さ寸法よりも大きくされている。
【００３９】
そして、図２に示したように、本体部材１８の複数の嵌合溝２８のそれぞれに、基板端子１６の屈曲部６６が非圧入状態で嵌め入れられる。更に、カバー部材２０が、本体部材１８から突出された基板端子１６の接続側端部６２を貫通孔５４に挿通しつつ本体部材１８に接近されて、係合部５２，５２が本体部材１８の係合突部４４，４４を乗り越えて、係合突部４４，４４が窓部５８内に嵌まり込むことによって本体部材１８に固定される。カバー部材２０の本体部材１８への組み付けに際して、係合突部４４，４４および係合部５２，５２に傾斜案内面４６，４６，６１，６１がそれぞれ形成されていることによって、係合部５２，５２の乗り越えが容易とされている。そして、図１に示したように、係合突部４４の係合面４８と、係合部５２の係合面６０が、基板端子１６の接続側端部６２の延出方向で対向位置される。
【００４０】
これにより、本体部材１８にカバー部材２０が組み付けられて、台座１４が構成される。カバー部材２０の組み付け状態において、本体部材１８の中央突部２６が貫通孔５４に挿通されると共に、カバー部材２０において貫通孔５４の周囲に形成された重ね合わせ面５６が、本体部材１８の重ね合わせ面２４の外周部分と重ね合わされる。これにより、基板端子１６が、嵌合溝２８に嵌め入れられた屈曲部６６において両重ね合わせ面２４，５６間に挟まれて台座１４に位置決め固定される。なお、屈曲部６６は、接続側端部６２および基板側端部６４の延出方向の両側から両重ね合わせ面２４，５６に挟まれることとなる。
【００４１】
そして、中央突部２６の突出端面３８が貫通孔５４を通じて、台座１４におけるプリント基板１２と反対側の外部に露出されることにより、基板端子１６の接続側端部６２が、突出端面３８に開口された嵌合溝２８の一方の端部３６を通じて台座１４から突出される。本体部材１８において、複数の嵌合溝２８が２列に配列形成されていることから、これら嵌合溝２８に位置決めされた複数の基板端子１６は、接続側端部６２を互いに平行に台座１４から突出させて、２列に配列されている。特に本実施形態においては、中央突部２６に形成された嵌合溝２８内に、カバー部材２０における貫通孔５４に突設された突条５７が入り込むことによって、該嵌合溝２８内の基板端子１６をより精度良く位置決めすることが出来る。
【００４２】
また、基板端子１６の屈曲部６６が、本体部材１８の側面３４に開口された嵌合溝２８の他方の端部３２を通じて、本体部材１８における長手方向に直交する幅方向の外方に突出される。そして、台座１４の外部に突出された屈曲部６６の突出端部から、基板端子１６の基板側端部６４が延び出されている。これにより、基板側端部６４は、台座１４の幅方向で外方に離隔した位置で延び出されている。更に、複数の嵌合溝２８が、本体部材１８における重ね合わせ面２４の幅方向両端部で、重ね合わせ面２４の幅方向に延び出されていることにより、各列の基板端子１６の屈曲部６６は、他方の列の基板端子１６の屈曲部６６に対して、台座１４の幅方向で互いに反対側に突出されている。
【００４３】
これにより、複数の基板端子１６が、接続側端部６２および基板側端部６４を台座１４から突出させた貫通状態で台座１４に固定されて、台座コネクタ１０が構成される。このような台座コネクタ１０は、本体部材１８が脚部２２，２２でプリント基板１２上に載置されると共に、各基板側端部６４がプリント基板１２に貫設されたスルーホール６８にそれぞれ挿通されて半田付けされることによって、プリント基板１２に組み付けられる。そして、各基板側端部６４がプリント基板１２に形成された導電路としての図示しないプリント配線と電気的に接続されると共に、各接続側端部６２に図示しない相手方コネクタが接続可能とされる。
【００４４】
このような構造とされた台座コネクタ１０によれば、基板端子１６を本体部材１８とカバー部材２０で挟んで保持することによって、圧入を用いることなく台座１４に固定することが出来る。これにより、圧入に際する座屈変形のおそれを回避することが出来る。その結果、極めて小さな断面積を有する線状の端子を備えた台座コネクタであっても、品質良く実現することが出来る。更に、圧入が回避されることにより、圧入に際して基板端子１６のめっき層を剥がすおそれも軽減することが出来る。
【００４５】
特に本実施形態においては、本体部材１８の嵌合溝２８に基板端子１６を嵌め入れることによって、複数の基板端子１６を精度良く位置決めすることが出来ると共に、嵌合溝２８に基板端子１６を嵌め入れた状態でカバー部材２０を組み付けることにより、組み付け作業を容易にすることが出来る。更に、嵌合溝２８が本体部材１８にのみ形成されていることから、本体部材１８とカバー部材２０の寸法誤差による嵌合溝の形状不安定などの問題も回避することが出来て、基板端子１６をより精度良く位置決めすることが出来る。
【００４６】
そして、プリント基板１２への組み付け状態において、台座１４は、本体部材１８のみが脚部２２，２２においてプリント基板１２と接触されており、カバー部材２０はプリント基板１２に対して非接触状態とされている。従って、半田付けに際するカバー部材２０への熱影響が軽減されることから、カバー部材２０をガラス繊維等を含まない安価な合成樹脂材料で形成することも出来る。更に、２列に配列された基板端子１６において、両列の基板側端部６４が台座１４から互いに反対側に離隔して位置されていることから、基板側端部６４の半田付け部を台座１４から離隔させることが出来て、半田付けに際する台座１４への熱影響を軽減することが出来ると共に、半田付け部の視認性を向上することも出来る。加えて、基板端子１６がクランク形状とされていることから、台座１４の熱膨張による応力をクランク状部分で緩和することも出来、半田クラックの発生も抑えることが出来る。
【００４７】
また、基板端子１６の屈曲部６６が、本体部材１８の重ね合わせ面２４とカバー部材２０の重ね合わせ面５６に、接続側端部６２の延出方向で両側から挟まれている。これにより、図示しない相手方コネクタが接続側端部６２に接続された場合には、基板端子１６に及ぼされる押し込み方向の力を、本体部材１８の重ね合わせ面２４（具体的には、嵌合溝２８の溝底面４０）で受けることが出来る。一方、相手方コネクタが接続側端部６２から引き抜かれる場合には、基板端子１６に及ぼされる引き抜き方向の力を、カバー部材２０の重ね合わせ面５６で受けることが出来る。これにより、相手方コネクタの挿抜に際して基板端子１６に及ぼされる応力を軽減することが出来て、半田クラックの発生をより効果的に抑えることが出来る。
【００４８】
特に本実施形態においては、２列に配列された基板端子１６の基板側端部６４が、互いに台座１４の幅方向外方に離隔されている。これにより、本体部材１８における脚部２２，２２の形成スペースをより大きく確保することが出来て、脚部２２，２２の幅寸法を確保することによって、相手方コネクタ接続時に基板端子１６に及ぼされる押し込み方向の応力に対する支持力をより強固に確保することが出来る。更に、本体部材１８における中央突部２６の突出端面３２が台座１４の外部に露出されていることから、相手方コネクタの応力を本体部材１８で直接に受けることが出来て、より安定的な支持力を得ることが出来る。一方、本体部材１８における係合突部４４の係合面４８と、カバー部材２０における係合部５２の係合面６０が相手方コネクタの挿抜方向で対向されていることによって、相手方コネクタ抜去時に基板端子１６に及ぼされる引き抜き方向の応力に対して、カバー部材２０を本体部材１８で安定的に係止して、より有効な支持力を得ることが出来る。
【００４９】
次に、図５に、本発明の第二の実施形態としての台座コネクタ８０が設けられたプリント基板１２を示す。なお、以下の説明において、前記第一の実施形態と同様の部材および部位には、図中に第一の実施形態と同一の符号を付することにより、その説明を適宜に省略する。
【００５０】
図６に示すように、本実施形態における台座コネクタ８０の台座８２は、本体部材８４とカバー部材８６とからなる分割構造体とされている。図７に、本体部材８４を示す。特に本実施形態における本体部材８４は、カバー部材８６が重ね合わされる重ね合わせ面８８が、平坦な単一平面とされている。
【００５１】
一方、図８および図９に、カバー部材８６を示す。カバー部材８６において、本体部材８４と重ね合わされる重ね合わせ面９０には、複数の嵌合溝９２が形成されている。複数の嵌合溝９２は、重ね合わせ面９０において長手方向に直交する幅方向の両側で、重ね合わせ面９０の長手方向に所定間隔を隔てて２列に形成されている。そして、嵌合溝９２は、基板端子１６の略正方形断面よりも僅かに大きな略正方形断面をもって重ね合わせ面９０の幅方向に延び出されており、一方の端部９４が、カバー部材８６の側面９６上に開口されている。
【００５２】
さらに、嵌合溝９２において、端部９４と反対側の端部９８は、カバー部材８６の天板部５０を厚さ方向に貫通する端子挿通孔１００に接続されている。端子挿通孔１００は、基板端子１６の略正方形断面よりも僅かに大きな略正方形断面とされている。これにより、嵌合溝９２は、端子挿通孔１００を通じて、天板部５０においてプリント基板１２側に位置される重ね合わせ面９０と反対側の天面１０２に開口されている。
【００５３】
このような構造とされたカバー部材８６の複数の端子挿通孔１００に対して、図６に示したように、基板端子１６の接続側端部６２が重ね合わせ面９０側から遊挿状態で挿通されることにより、接続側端部６２が天面１０２から突出されると共に、屈曲部６６が非圧入状態で嵌合溝９２に嵌め入れられる。そして、基板端子１６がセットされたカバー部材８６に対して本体部材８４が組み付けられる。これにより、本体部材８４の重ね合わせ面８８を覆うようにカバー部材８６の重ね合わせ面９０が重ね合わされて、嵌合溝９２に嵌め入れられた屈曲部６６が、これら両重ね合わせ面８８，９０で接続側端部６２の延出方向の両側から挟まれて位置決め固定される。その結果、基板端子１６の接続側端部６２が、端子挿通孔１００を通じて台座１４から突出されると共に、屈曲部６６がカバー部材８６の側面９６に開口された嵌合溝９２の端部９４を通じて台座１４から突出されて、基板端子１６が台座１４に貫通状態で固定される。
【００５４】
本実施形態に従う構造とされた台座コネクタ８０によれば、基板端子１６を端子挿通孔１００に挿通することによって、より精度良く且つ容易に位置決めすることが出来る。そして、嵌合溝９２と端子挿通孔１００がカバー部材８６にのみ形成されていることから、嵌合溝９２および端子挿通孔１００を寸法精度良く形成することが出来て、基板端子１６の位置決め精度を確保することが出来る。更に、本体部材８４の重ね合わせ面８８を単一平面とすることが出来て、本体部材８４の形状を簡易なものにすることが出来る。
【００５５】
以上、本発明の実施形態について詳述したが、本発明はその具体的な記載によって限定されない。例えば、図１０に示す、本発明の異なる態様としての台座コネクタ１１０のように、基板端子１６の基板側端部６４を、台座１４の幅方向外側に突出させることなく位置させても良い。台座コネクタ１１０は前記第一の実施形態としての台座コネクタ１０と略同様の構造とされており、本体部材１８の嵌合溝２８が、側面３４上に延び出されて重ね合わせ面２４と反対側の底面１１２上に開口されている。そして、基板側端部６４が、側面３４上に開口された嵌合溝２８に嵌め入れられることにより、側面３４から突出することなく、底面１１２からプリント基板１２に向けて突出されている。
【００５６】
また、嵌合溝の具体的な形状も前記実施形態のものに限定されない。例えば、前記第一の実施形態において、本体部材１８を貫通する端子挿通孔を形成して、嵌合溝２８において中央突部２６と反対側の端部をかかる端子挿通孔と接続することによって、嵌合溝２８を本体部材１８の側面３４に開口することなく本体部材１８の底面に開口させるなどしても良い。このようにすれば、基板端子１６の基板側端部６４を本体部材１８を貫通する端子挿通孔に挿通することによって、精度良く位置決めすることも出来る。更に、前記各実施形態においては、嵌合溝を本体部材とカバー部材の何れか一方のみに形成することによって、嵌合溝の寸法精度をより精度良く確保することが可能とされていたが、例えば、嵌合溝を本体部材とカバー部材のそれぞれに部分的に形成して、これら本体部材とカバー部材が協働して嵌合溝を形成するようにしても良い。
【００５７】
また、基板端子は、必ずしもクランク形状のものに限定されない。例えば、Ｌ字形状の基板端子を用いることによって、相手方コネクタに接続する端部が、プリント基板の側方に突出された台座コネクタを形成することも可能である。更に、基板端子における屈曲部の屈曲角は直角に限定されず、基板端子の延出方向に対して傾斜して屈曲させて、嵌合溝や重ね合わせ面を屈曲部の屈曲角に合わせて傾斜させる等しても良い。
【００５８】
加えて、基板端子は、線状のものに限定されない。例えば、略長手矩形状の扁平断面を有するタブ状の端子を用いることも可能であるし、タブ状の端子と線状の端子を組み合わせて用いる等しても良い。
【００５９】
更にまた、カバー部材にも脚部を形成して、プリント基板に接触状態とすることも可能である。このようにすれば、相手方コネクタ接続時の押圧力に対する支持力をより有効に得ることが出来る。
【符号の説明】
【００６０】
１０，８０，１１０：台座コネクタ、１２：プリント基板、１４，８２：台座、１６：基板端子、１８，８４：本体部材、２０，８６：カバー部材、２４，８８：重ね合わせ面（本体部材）、２６：中央突部、２８，９２：嵌合溝、３６：端部（嵌合溝の一方の端部）、３８：突出端面、５４：貫通孔、５６，９０：重ね合わせ面（カバー部材）、６２：接続側端部（基板端子の端部）、６４：基板側端部（基板端子の端部）、６６：屈曲部、９８：端部（嵌合溝の一方の端部）、１００：端子挿通孔、１０２：天面（カバー部材におけるプリント基板と反対側の面）
【図１】
2011124193.tif 000003
【図２】
2011124193.tif 000004
【図３】
2011124193.tif 000005
【図４】
2011124193.tif 000006
【図５】
2011124193.tif 000007
【図６】
2011124193.tif 000008
【図７】
2011124193.tif 000009
【図８】
2011124193.tif 000010
【図９】
2011124193.tif 000011
【図１０】
2011124193.tif 000012